(57)【要約】本発明は、パラメータセットの取得方法及び装置に関する。当該方法は、同期信号、サイドリンク放送情報、物理層制御情報、又はユーザデータという情報タイプのうちの少なくとも１つ又はそれらの組み合わせを含む伝送対象の情報に対応する目標パラメータセットを取得するステップと、目標パラメータセットを使用して伝送対象の情報を伝送するステップとを含む。当該技術的解決手段は、ＮＲ  Ｖ２ｘサイドリンク通信において複数のパラメータセット構成をサポートして、伝送対象の情報に対応する目標パラメータセットを使用して伝送対象の情報を伝送することで、異なるＶ２ｘサイドリンク通信のために差別化されたパラメータセットを提供することを実現し、ＮＲ  Ｖ２ｘ  ｓｉｄｅｌｉｎｋ通信業務の差別化ＱｏＳ要件を保証することができ、ユーザ体験を向上させる。【選択図】  図１
2021532689.tif 000002
【特許請求の範囲】
【請求項１】
サイドリンク通信ユーザ機器に適用されるパラメータセット取得方法であって、
同期信号、サイドリンク放送情報、物理層制御情報、又はユーザデータという情報タイプのうちの少なくとも１つ又はそれらの組み合わせを含む伝送対象の情報に対応する目標パラメータセットを取得するステップと、
前記目標パラメータセットを使用して前記伝送対象の情報を伝送するステップと、を含む、
ことを特徴とするパラメータセット取得方法。
【請求項２】
前記伝送対象の情報に対応する目標パラメータセットを取得するステップは、
基地局から送信された、ユーザ機器が前記伝送対象の情報の伝送に使用する目標パラメータセットを含む構成メッセージを受信するステップと、
前記構成メッセージを解析して、前記伝送対象の情報に対応する目標パラメータセットを取得するステップと、を含む、
ことを特徴とする請求項１に記載の方法。
【請求項３】
前記伝送対象の情報に対応する目標パラメータセットを取得するステップは、
基地局から送信された、ユーザ機器が前記伝送対象の情報の伝送に使用する目標パラメータセットを含むダウンリンク制御メッセージを受信するステップと、
前記ダウンリンク制御メッセージを解析して、前記伝送対象の情報に対応する目標パラメータセットを取得するステップと、を含む、
ことを特徴とする請求項１に記載の方法。
【請求項４】
前記伝送対象の情報に対応する目標パラメータセットを取得するステップは、
前記伝送対象の情報の伝送に使用される目標キャリア周波数帯域を取得するステップと、
プリセットのキャリア周波数帯域とパラメータセットとの対応関係に基づいて、前記目標キャリア周波数帯域に対応する目標パラメータセットを取得するステップと、を含む、
ことを特徴とする請求項１に記載の方法。
【請求項５】
前記伝送対象の情報に対応する目標パラメータセットを取得するステップは、
プリセットの情報タイプとパラメータセットとの対応関係に基づいて、前記伝送対象の情報に対応する目標パラメータセットを取得するステップを含む、
ことを特徴とする請求項１に記載の方法。
【請求項６】
前記伝送対象の情報に対応する目標パラメータセットを取得するステップは、
前記伝送対象の情報の伝送に使用される時間周波数リソース集合を取得するステップと、
プリセットの時間周波数リソース集合とパラメータセットとの対応関係に基づいて、前記時間周波数リソース集合に対応する目標パラメータセットを取得するステップと、を含む、
ことを特徴とする請求項１に記載の方法。
【請求項７】
前記伝送対象の情報に対応する目標パラメータセットを取得するステップは、
対向機器から送信された同期信号又はサイドリンク放送情報を受信するステップと、
前記対向機器から送信された同期信号又はサイドリンク放送情報に基づいて、前記対向機器が物理層制御情報及び／又はユーザデータの伝送に使用するパラメータセットを決定するステップと、
前記対向機器が物理層制御情報及び／又はユーザデータの伝送に使用するパラメータセットを、前記ユーザ機器が前記伝送対象の情報の伝送に使用する目標パラメータセットとして決定するステップと、を含む、
ことを特徴とする請求項１に記載の方法。
【請求項８】
前記対向機器から送信された同期信号又はサイドリンク放送情報に基づいて、前記対向機器が物理層制御情報及び／又はユーザデータの伝送に使用するパラメータセットを決定するステップは、
前記対向機器が同期信号又はサイドリンク放送情報の送信時に使用するパラメータセットを検出するステップと、
前記対向機器が同期信号又はサイドリンク放送情報の送信時に使用するパラメータセットに基づいて、前記対向機器が物理層制御情報及び／又はユーザデータの伝送に使用するパラメータセットを決定するステップと、を含む、
ことを特徴とする請求項７に記載の方法。
【請求項９】
前記対向機器から送信された同期信号又はサイドリンク放送情報に基づいて、前記対向機器が物理層制御情報及び／又はユーザデータの伝送に使用するパラメータセットを決定するステップは、
前記対向機器から送信された同期信号又はサイドリンク放送情報に基づいて、前記対向機器に使用される同期信号シーケンス又はサイドリンク放送情報の参照シーケンスを取得するステップと、
プリセットの同期信号シーケンス又はサイドリンク放送情報の参照シーケンスとパラメータセットとの対応関係に基づいて、前記対向機器が物理層制御情報及び／又はユーザデータの伝送に使用するパラメータセットを決定するステップと、を含む、
ことを特徴とする請求項７に記載の方法。
【請求項１０】
前記対向機器から送信された同期信号又はサイドリンク放送情報に基づいて、前記対向機器が物理層制御情報及び／又はユーザデータの伝送に使用するパラメータセットを決定するステップは、
前記対向機器から送信された同期信号又はサイドリンク放送情報に第１の指示情報が含まれ、前記第１の指示情報は、前記対向機器が物理層制御情報及び／又はユーザデータの伝送に使用するパラメータセットを指示するために用いられ、
前記対向機器から送信された同期信号又はサイドリンク放送情報を解析して、前記第１の指示情報に基づいて前記対向機器が物理層制御情報及び／又はユーザデータの伝送に使用するパラメータセットを取得するステップを含む、
ことを特徴とする請求項７に記載の方法。
【請求項１１】
伝送対象の情報に対応する目標パラメータセットを取得するステップは、
対向機器から送信された同期信号又はサイドリンク放送情報を受信するステップと、
前記対向機器から送信された同期信号を、ユーザ機器から送信された信号の同期参照信号として決定する場合、前記対向機器が同期信号又はサイドリンク放送情報の送信に使用するパラメータセットを、前記ユーザ機器が同期信号又はサイドリンク放送情報の送信に使用する目標パラメータセットとして決定するステップと、を含む、
ことを特徴とする請求項１に記載の方法。
【請求項１２】
伝送対象の情報に対応する目標パラメータセットを取得するステップは、
対向機器から送信された、ユーザデータ及び／又はフィードバック情報の伝送時に使用されるパラメータセットを指示するための第２の指示情報を有する物理層制御情報を受信するステップと、
前記対向機器から送信された物理層制御情報を解析して、前記ユーザ機器がユーザデータ及び／又はフィードバック情報の送信時に使用する目標パラメータセットを取得するステップと、を含む、
ことを特徴とする請求項１に記載の方法。
【請求項１３】
パラメータセット取得装置であって、
同期信号、サイドリンク放送情報、物理層制御情報、又はユーザデータという情報タイプのうちの少なくとも１つ又はそれらの組み合わせを含む伝送対象の情報に対応する目標パラメータセットを取得するための取得モジュールと、
前記目標パラメータセットを使用して前記伝送対象の情報を伝送するための伝送モジュールと、を含む、
ことを特徴とするパラメータセット取得装置。
【請求項１４】
前記取得モジュールは、
基地局から送信された、ユーザ機器が前記伝送対象の情報の伝送に使用する目標パラメータセットを含む構成メッセージを受信するための第１の受信サブモジュールと、
前記構成メッセージを解析して、前記伝送対象の情報に対応する目標パラメータセットを取得するための第１の解析サブモジュールと、を含む、
ことを特徴とする請求項１３に記載の装置。
【請求項１５】
前記取得モジュールは、
基地局から送信された、ユーザ機器が前記伝送対象の情報の伝送に使用する目標パラメータセットを含むダウンリンク制御メッセージを受信するための第２の受信サブモジュールと、
前記ダウンリンク制御メッセージを解析して、前記伝送対象の情報に対応する目標パラメータセットを取得するための第２の解析サブモジュールと、を含む、
ことを特徴とする請求項１３に記載の装置。
【請求項１６】
前記取得モジュールは、
前記伝送対象の情報の伝送に使用される目標キャリア周波数帯域を取得するための第１の取得サブモジュールと、
プリセットのキャリア周波数帯域とパラメータセットとの対応関係に基づいて、前記目標キャリア周波数帯域に対応する目標パラメータセットを取得するための第２の取得サブモジュールと、を含む、
ことを特徴とする請求項１３に記載の装置。
【請求項１７】
前記取得モジュールは、プリセットの情報タイプとパラメータセットとの対応関係に基づいて、前記伝送対象の情報に対応する目標パラメータセットを取得する、
ことを特徴とする請求項１３に記載の装置。
【請求項１８】
前記取得モジュールは、前記伝送対象の情報の伝送に使用される時間周波数リソース集合を取得し、プリセットの時間周波数リソース集合とパラメータセットとの対応関係に基づいて、前記時間周波数リソース集合に対応する目標パラメータセットを取得する、
ことを特徴とする請求項１３に記載の装置。
【請求項１９】
前記取得モジュールは、
対向機器から送信された同期信号又はサイドリンク放送情報を受信するための第３の受信サブモジュールと、
前記対向機器から送信された同期信号又はサイドリンク放送情報に基づいて、前記対向機器が物理層制御情報及び／又はユーザデータの伝送に使用するパラメータセットを決定するための第１の決定サブモジュールと、
前記対向機器が物理層制御情報及び／又はユーザデータの伝送に使用するパラメータセットを、前記ユーザ機器が前記伝送対象の情報の伝送に使用する目標パラメータセットとして決定するための第２の決定サブモジュールと、
を含むことを特徴とする請求項１３に記載の装置。
【請求項２０】
前記第１の決定サブモジュールは、前記対向機器が同期信号又はサイドリンク放送情報の送信時に使用するパラメータセットを検出し、前記対向機器が同期信号又はサイドリンク放送情報の送信時に使用するパラメータセットに基づいて、前記対向機器が物理層制御情報及び／又はユーザデータの伝送に使用するパラメータセットを決定する、
ことを特徴とする請求項１９に記載の装置。
【請求項２１】
前記第１の決定サブモジュールは、前記対向機器から送信された同期信号又はサイドリンク放送情報に基づいて、前記対向機器に使用される同期信号シーケンス又はサイドリンク放送情報の参照シーケンスを取得し、プリセットの同期信号シーケンス又はサイドリンク放送情報の参照シーケンスとパラメータセットとの対応関係に基づいて、前記対向機器が物理層制御情報及び／又はユーザデータの伝送に使用するパラメータセットを決定する、
ことを特徴とする請求項１９に記載の装置。
【請求項２２】
前記第１の決定サブモジュールは、前記対向機器から送信された同期信号又はサイドリンク放送情報に第１の指示情報が含まれ、前記第１の指示情報は、前記対向機器が物理層制御情報及び／又はユーザデータの伝送に使用するパラメータセットを指示するために用いられ、前記対向機器から送信された同期信号又はサイドリンク放送情報を解析して、前記対向機器が物理層制御情報及び／又はユーザデータの伝送に使用するパラメータセットを取得する、
ことを特徴とする請求項１９に記載の装置。
【請求項２３】
前記取得モジュールは、
対向機器から送信された同期信号又はサイドリンク放送情報を受信するための第４の受信サブモジュールと、
前記対向機器から送信された同期信号を、ユーザ機器から送信された信号の同期参照信号として決定する場合、前記対向機器が同期信号又はサイドリンク放送情報の送信に使用するパラメータセットを、前記ユーザ機器が同期信号又はサイドリンク放送情報の送信に使用する目標パラメータセットとして決定するための第３の決定サブモジュールと、を含む、
ことを特徴とする請求項１３に記載の装置。
【請求項２４】
前記取得モジュールは、対向機器から送信された、ユーザデータ及び／又はフィードバック情報の伝送時に使用されるパラメータセットを指示するための第２の指示情報を有する物理層制御情報を受信し、前記対向機器から送信された物理層制御情報を解析して、前記ユーザ機器がユーザデータ及び／又はフィードバック情報の送信時に使用する目標パラメータセットを取得する、
ことを特徴とする請求項１３に記載の装置。
【請求項２５】
パラメータセット取得装置であって、
プロセッサと、
プロセッサによって実行可能な命令を記憶するためのメモリと、を含み、
前記プロセッサは、
同期信号、サイドリンク放送情報、物理層制御情報、又はユーザデータという情報タイプのうちの少なくとも１つ又はそれらの組み合わせを含む伝送対象の情報に対応する目標パラメータセットを取得し、
前記目標パラメータセットを使用して前記伝送対象の情報を伝送するように構成される、
ことを特徴とするパラメータセット取得装置。
【請求項２６】
コンピュータ命令が記憶されているコンピュータ読み取り可能な記憶媒体であって、
前記命令がプロセッサによって実行される場合、請求項１〜１２のいずれかに記載の方法のステップを実現することを特徴とするコンピュータ読み取り可能な記憶媒体。
【発明の詳細な説明】
【技術分野】
【０００１】
本発明は、通信技術の分野に関し、特にパラメータセットの取得方法及び装置に関する。
【背景技術】
【０００２】
次世代の新規なインターネットアプリケーションの継続的な出現により、無線通信技術に対する要求がより高く求められ、アプリケーションのニーズを満たすように無線通信技術の継続的な進化が推進され、現在、セルラ移動通信技術は、次世代技術の進化段階にある。車両ネットワーク通信（Ｖ２ｘ，Ｖｅｈｉｃｌｅ  ｔｏ  Ｅｖｅｒｙｔｈｉｎｇ）は、車車間通信（Ｖ２Ｖ，Ｖｅｈｉｃｌｅ  ｔｏ  Ｖｅｈｉｃｌｅ）、歩車間通信（Ｖ２Ｐ，Ｖｅｈｉｃｌｅ  ｔｏ  Ｐｅｄｅｓｔｒｉａｎ）、及び路車間通信（Ｖ２Ｉ，Ｖｅｈｉｃｌｅ  ｔｏ  Ｉｎｆｒａｓｔｒｕｃｔｕｒｅ）を含み、Ｖ２Ｐとは、車載機器と携帯端末間の通信であり、Ｖ２Ｉとは、車載機器と路側機器間の通信である。車載ネットワークは、Ｖ２Ｖ、Ｖ２Ｉ及びＶ２Ｐの通信をサポートすることで、交通の安全性を効果的に向上させ、交通効率を改善し、人々の外出体験を豊富にすることができる。
【０００３】
従来のセルラ通信技術に基づいて車両ネットワーク通信をサポートすることを考慮すると、従来の基地局の配備を効果的に利用して、機器費用を削減することができ、サービス品質（ＱｏＳ，Ｑｕａｌｉｔｙ  ｏｆ  Ｓｅｒｖｉｃｅ）保証を有するサービスを提供して、車両ネットワーク業務の需要を満たすことにもより有利であるため、ＬＴＥ  Ｒｅｌ−１４／１５では、Ｖ２ｘ通信に対するセルラネットワークのサポート、即ち、セルラネットワークに基づく車両ネットワーク通信（Ｃ−Ｖ２ｘ，ｃｅｌｌｕｌａｒ  ｂａｓｅｄ  Ｖ２ｘ）が提供される。Ｃ−Ｖ２ｘでは、車載機器と他の機器との間の通信は、基地局及びコアネットワークにより中継され、即ち、従来のセルラネットワークにおけるユーザ機器と基地局との間の通信リンクを利用して通信してもよいし、機器間のサイドリンク（ＳＬ，ｓｉｄｅｌｉｎｋ）を介して直接通信を行ってもよい。ｓｉｄｅｌｉｎｋ通信は、セルラ通信に比べて、遅延が短く、オーバーヘッドが小さいなどの特徴を有し、車載機器や地理的位置が近い他の周辺機器との直接通信に非常に適している。ＬＴＥにおけるＶ２ｘ  ｓｉｄｅｌｉｎｋ通信は、協調感知メッセージ（ＣＡＭ，Ｃｏｏｐｅｒａｔｉｖｅ  Ａｗａｒｅｎｅｓｓ  Ｍｅｓｓａｇｅｓ）又は分散型環境通知メッセージ（ＤＥＮＭ，Ｄｅｃｅｎｔｒａｌｉｚｅｄ  Ｅｎｖｉｒｏｎｍｅｎｔａｌ  Ｎｏｔｉｆｉｃａｔｉｏｎ  Ｍｅｓｓａｇｅ）などの情報の交換、言語放送などの基本的なセキュリティ面のＶ２ｘアプリケーションしかサポートすることができない。しかし、自動運転などの技術の発展に伴い、新しいＶ２ｘ業務をサポートするために、Ｖ２ｘ技術の性能に対して新しい要求が出されており、５Ｇの新無線（ＮＲ，Ｎｅｗ  Ｒａｄｉｏ）技術による新しいＶ２ｘ通信サービス及びシーンへのサポートは、既に第３世代移動通信パートナ（３ＧＰＰ）によってＲｅｌ１６の重要な内容として計画され、車両隊列走行管理（Ｖｅｈｉｃｌｅｓ  Ｐｌａｔｏｏｎｉｎｇ）、感知拡張（Ｅｘｔｅｎｄｅｄ  Ｓｅｎｓｏｒｓ）、先進運転（Ａｄｖａｎｃｅｄ  Ｄｒｉｖｉｎｇ）、リモート運転（ｒｅｍｏｔｅ  ｄｒｉｖｉｎｇ）を含むＶ２ｘ通信が満たす必要がある新しい業務要件を新たに追加した。要するに、ＮＲ  Ｖ２ｘ  ｓｉｄｅｌｉｎｋは、より高い通信速度、より短い通信遅延、より信頼できる通信品質を提供する必要がある。
【０００４】
関連技術において、ＬＴＥ  Ｖ２ｘ通信技術では、ユーザ機器のｓｉｄｅｌｉｎｋ通信時のサブキャリア間隔は１５ＫＨｚに固定され、サブフレームの長さは１ｍｓに固定される。
【発明の概要】
【発明が解決しようとする課題】
【０００５】
本発明の実施例は、パラメータセットの取得方法及び装置を提供する。前記技術的解決手段は、以下のとおりである。
【課題を解決するための手段】
【０００６】
本発明の実施例の第１の態様は、サイドリンク通信ユーザ機器に適用されるパラメータセット取得方法を提供し、当該方法は、
同期信号、サイドリンク放送情報、物理層制御情報、又はユーザデータという情報タイプのうちの少なくとも１つ又はそれらの組み合わせを含む伝送対象の情報に対応する目標パラメータセットを取得するステップと、
前記目標パラメータセットを使用して前記伝送対象の情報を伝送するステップと、を含む。
【０００７】
本発明の実施例にて提供される技術的解決手段は、ＮＲ  Ｖ２ｘサイドリンク通信において複数のパラメータセット構成をサポートして、異なるＶ２ｘサイドリンク通信のために差別化されたパラメータセットを提供することにより、ＮＲ  Ｖ２ｘ  ｓｉｄｅｌｉｎｋ通信業務の差別化ＱｏＳ要件を保証することができ、ユーザ体験を向上させるという有益な効果を含み得る。
【０００８】
一実施例では、伝送対象の情報に対応する目標パラメータセットを取得するステップは、
基地局から送信された、ユーザ機器が前記伝送対象の情報の伝送に使用する目標パラメータセットを含む構成メッセージを受信するステップと、
前記構成メッセージを解析して、前記伝送対象の情報に対応する目標パラメータセットを取得するステップと、を含む。
【０００９】
一実施例では、伝送対象の情報に対応する目標パラメータセットを取得するステップは、
基地局から送信された、ユーザ機器が前記伝送対象の情報の伝送に使用する目標パラメータセットを含むダウンリンク制御メッセージを受信するステップと、
前記ダウンリンク制御メッセージを解析して、前記伝送対象の情報に対応する目標パラメータセットを取得するステップと、を含む。
【００１０】
一実施例では、伝送対象の情報に対応する目標パラメータセットを取得するステップは、
前記伝送対象の情報の伝送に使用される目標キャリア周波数帯域を取得するステップと、
プリセットのキャリア周波数帯域とパラメータセットとの対応関係に基づいて、前記目標キャリア周波数帯域に対応する目標パラメータセットを取得するステップと、を含む。
【００１１】
一実施例では、伝送対象の情報に対応する目標パラメータセットを取得するステップは、
プリセットの情報タイプとパラメータセットとの対応関係に基づいて、前記伝送対象の情報に対応する目標パラメータセットを取得するステップを含む。
【００１２】
一実施例では、伝送対象の情報に対応する目標パラメータセットを取得するステップは、
前記伝送対象の情報の伝送に使用される時間周波数リソース集合を取得するステップと、
プリセットの時間周波数リソース集合とパラメータセットとの対応関係に基づいて、前記時間周波数リソース集合に対応する目標パラメータセットを取得するステップと、を含む。
【００１３】
一実施例では、伝送対象の情報に対応する目標パラメータセットを取得するステップは、
対向機器から送信された同期信号又はサイドリンク放送情報を受信するステップと、
前記対向機器から送信された同期信号又はサイドリンク放送情報に基づいて、前記対向機器が物理層制御情報及び／又はユーザデータの伝送に使用するパラメータセットを決定するステップと、
前記対向機器が物理層制御情報及び／又はユーザデータの伝送に使用するパラメータセットを、前記ユーザ機器が前記伝送対象の情報の伝送に使用する目標パラメータセットとして決定するステップと、を含む。
【００１４】
一実施例では、前記対向機器から送信された同期信号又はサイドリンク放送情報に基づいて、前記対向機器が物理層制御情報及び／又はユーザデータの伝送に使用するパラメータセットを決定するステップは、
前記対向機器が同期信号又はサイドリンク放送情報の送信時に使用するパラメータセットを検出するステップと、
前記対向機器が同期信号又はサイドリンク放送情報の送信時に使用するパラメータセットに基づいて、前記対向機器が物理層制御情報及び／又はユーザデータの伝送に使用するパラメータセットを決定するステップと、を含む。
【００１５】
一実施例では、前記対向機器から送信された同期信号又はサイドリンク放送情報に基づいて、前記対向機器が物理層制御情報及び／又はユーザデータの伝送に使用するパラメータセットを決定するステップは、
前記対向機器から送信された同期信号又はサイドリンク放送情報に基づいて、前記対向機器に使用される同期信号シーケンス又はサイドリンク放送情報の参照シーケンスを取得するステップと、
プリセットの同期信号シーケンス又はサイドリンク放送情報の参照シーケンスとパラメータセットとの対応関係に基づいて、前記対向機器が物理層制御情報及び／又はユーザデータの伝送に使用するパラメータセットを決定するステップと、を含む。
【００１６】
一実施例では、前記対向機器から送信された同期信号又はサイドリンク放送情報に基づいて、前記対向機器が物理層制御情報及び／又はユーザデータの伝送に使用するパラメータセットを決定するステップは、
前記対向機器から送信された同期信号又はサイドリンク放送情報に第１の指示情報が含まれ、前記第１の指示情報は、前記対向機器が物理層制御情報及び／又はユーザデータの伝送に使用するパラメータセットを指示するために用いられ、
前記対向機器から送信された同期信号又はサイドリンク放送情報を解析して、前記対向機器が物理層制御情報及び／又はユーザデータの伝送に使用するパラメータセットを取得するステップを含む。
【００１７】
一実施例では、伝送対象の情報に対応する目標パラメータセットを取得するステップは、
対向機器から送信された同期信号又はサイドリンク放送情報を受信するステップと、
前記対向機器から送信された同期信号を、ユーザ機器から送信された信号の同期参照信号として決定する場合、前記対向機器が同期信号又はサイドリンク放送情報の送信に使用するパラメータセットを、前記ユーザ機器が同期信号又はサイドリンク放送情報の送信に使用する目標パラメータセットとして決定するステップと、を含む。
【００１８】
一実施例では、伝送対象の情報に対応する目標パラメータセットを取得するステップは、
対向機器から送信された、ユーザデータ及び／又はフィードバック情報の伝送時に使用されるパラメータセットを指示するための第２の指示情報を有する物理層制御情報を受信するステップと、
前記対向機器から送信された物理層制御情報を解析して、前記ユーザ機器がユーザデータ及び／又はフィードバック情報の送信時に使用する目標パラメータセットを取得するステップと、を含む。
【００１９】
本発明の実施例の第２の態様にて提供されるパラメータセット取得装置は、
同期信号、サイドリンク放送情報、物理層制御情報、又はユーザデータという情報タイプのうちの少なくとも１つ又はそれらの組み合わせを含む伝送対象の情報に対応する目標パラメータセットを取得するための取得モジュールと、
前記目標パラメータセットを使用して前記伝送対象の情報を伝送するための伝送モジュールと、を含む。
【００２０】
一実施例では、前記取得モジュールは、
基地局から送信された、ユーザ機器が前記伝送対象の情報の伝送に使用する目標パラメータセットを含む構成メッセージを受信するための第１の受信サブモジュールと、
前記構成メッセージを解析して、前記伝送対象の情報に対応する目標パラメータセットを取得するための第１の解析サブモジュールと、を含む。
【００２１】
一実施例では、前記取得モジュールは、
基地局から送信された、ユーザ機器が前記伝送対象の情報の伝送に使用する目標パラメータセットを含むダウンリンク制御メッセージを受信するための第２の受信サブモジュールと、
前記ダウンリンク制御メッセージを解析して、前記伝送対象の情報に対応する目標パラメータセットを取得するための第２の解析サブモジュールと、を含む。
【００２２】
一実施例では、前記取得モジュールは、
前記伝送対象の情報の伝送に使用される目標キャリア周波数帯域を取得するための第１の取得サブモジュールと、
プリセットのキャリア周波数帯域とパラメータセットとの対応関係に基づいて、前記目標キャリア周波数帯域に対応する目標パラメータセットを取得するための第２の取得サブモジュールとを含む。
【００２３】
一実施例では、前記取得モジュールは、プリセットの情報タイプとパラメータセットとの対応関係に基づいて、前記伝送対象の情報に対応する目標パラメータセットを取得する。
【００２４】
一実施例では、前記取得モジュールは、前記伝送対象の情報の伝送に使用される時間周波数リソース集合を取得し、プリセットの時間周波数リソース集合とパラメータセットとの対応関係に基づいて、前記時間周波数リソース集合に対応する目標パラメータセットを取得する。
【００２５】
一実施例では、前記取得モジュールは、
対向機器から送信された同期信号又はサイドリンク放送情報を受信するための第３の受信サブモジュールと、
前記対向機器から送信された同期信号又はサイドリンク放送情報に基づいて、前記対向機器が物理層制御情報及び／又はユーザデータの伝送に使用するパラメータセットを決定するための第１の決定サブモジュールと、
前記対向機器が物理層制御情報及び／又はユーザデータの伝送に使用するパラメータセットを、前記ユーザ機器が前記伝送対象の情報の伝送に使用する目標パラメータセットとして決定するための第２の決定サブモジュールと、を含む。
【００２６】
一実施例では、前記第１の決定サブモジュールは、前記対向機器が同期信号又はサイドリンク放送情報の送信時に使用するパラメータセットを検出し、前記対向機器が同期信号又はサイドリンク放送情報の送信時に使用するパラメータセットに基づいて、前記対向機器が物理層制御情報及び／又はユーザデータの伝送に使用するパラメータセットを決定する。
【００２７】
一実施例では、前記第１の決定サブモジュールは、前記対向機器から送信された同期信号又はサイドリンク放送情報に基づいて、前記対向機器に使用される同期信号シーケンス又はサイドリンク放送情報の参照シーケンスを取得し、プリセットの同期信号シーケンス又はサイドリンク放送情報の参照シーケンスとパラメータセットとの対応関係に基づいて、前記対向機器が物理層制御情報及び／又はユーザデータの伝送に使用するパラメータセットを決定する。
【００２８】
一実施例では、前記第１の決定サブモジュールは、前記対向機器から送信された同期信号又はサイドリンク放送情報に第１の指示情報が含まれ、前記第１の指示情報は、前記対向機器が物理層制御情報及び／又はユーザデータの伝送に使用するパラメータセットを指示するために用いられ、前記対向機器から送信された同期信号又はサイドリンク放送情報を解析して、前記対向機器が物理層制御情報及び／又はユーザデータの伝送に使用するパラメータセットを取得する。
【００２９】
一実施例では、前記取得モジュールは、
対向機器から送信された同期信号又はサイドリンク放送情報を受信するための第４の受信サブモジュールと、
前記対向機器から送信された同期信号を、ユーザ機器から送信された信号の同期参照信号として決定する場合、前記対向機器が同期信号又はサイドリンク放送情報の送信に使用するパラメータセットを、前記ユーザ機器が同期信号又はサイドリンク放送情報の送信に使用する目標パラメータセットとして決定するための第３の決定サブモジュールと、を含む。
【００３０】
一実施例では、前記取得モジュールは、対向機器から送信された、ユーザデータ及び／又はフィードバック情報の伝送時に使用されるパラメータセットを指示するための第２の指示情報を有する物理層制御情報を受信し、前記対向機器から送信された物理層制御情報を解析して、前記ユーザ機器がユーザデータ及び／又はフィードバック情報の送信時に使用する目標パラメータセットを取得する。
【００３１】
本発明の実施例の第３の態様にて提供されるパラメータセット取得装置は、
プロセッサと、
プロセッサによって実行可能な命令を記憶するためのメモリと、を含み、
前記プロセッサは、
同期信号、サイドリンク放送情報、物理層制御情報、又はユーザデータという情報タイプのうちの少なくとも１つ又はそれらの組み合わせを含む伝送対象の情報に対応する目標パラメータセットを取得し、
前記目標パラメータセットを使用して前記伝送対象の情報を伝送するように構成される。
【００３２】
本発明の実施例の第４の態様は、コンピュータ命令が記憶されているコンピュータ読み取り可能な記憶媒体を提供し、当該命令がプロセッサによって実行される場合、上記第１の態様に記載の方法のステップを実現する。
【００３３】
上記説明及び以下の詳細な説明は、例示及び解釈のためのものにすぎず、本発明を限定するものではないことを理解されたい。
【図面の簡単な説明】
【００３４】
ここでの図面は、明細書に組み込まれ、明細書の一部を構成し、本発明による実施例を示し、明細書とともに、本発明の原理を説明するために使用される。
【図１】例示的な一実施例に示したパラメータセット取得方法のフローチャートである。
【図２】例示的な一実施例に示したパラメータセット取得方法のフローチャートである。
【図３】例示的な一実施例に示したパラメータセット取得方法のフローチャートである。
【図４】例示的な一実施例に示したパラメータセット取得方法のフローチャートである。
【図５】例示的な一実施例に示したパラメータセット取得装置のブロック図である。
【図６】例示的な一実施例に示したパラメータセット取得装置のブロック図である。
【図７】例示的な一実施例に示したパラメータセット取得装置のブロック図である。
【図８】例示的な一実施例に示したパラメータセット取得装置のブロック図である。
【図９】例示的な一実施例に示したパラメータセット取得装置のブロック図である。
【図１０】例示的な一実施例に示したパラメータセット取得装置のブロック図である。
【図１１】例示的な一実施例に示したパラメータセット取得装置のブロック図である。
【図１２】例示的な一実施例に示したパラメータセット取得装置のブロック図である。
【発明を実施するための形態】
【００３５】
以下、添付図面に示した例示的な実施例について詳細に説明する。以下の説明が図面に関する場合、特に明記しない限り、異なる図面における同じ参照番号は、同一又は類似の要素を示す。以下の例示的な実施例に説明される実施形態は、本発明と一致する実施形態を全部表すものではない。むしろ、それらは、添付の特許請求の範囲に詳述されるように、本発明の一部の態様と一致する装置及び方法の単なる例である。
【００３６】
関連技術において、ＬＴＥ  Ｖ２ｘ  ｓｉｄｅｌｉｎｋ通信のサブキャリア間隔は１５ＫＨｚに固定され、サブフレームの長さは１ｍｓに固定されるため、ＬＴＥ  Ｖ２ｘ  ｓｉｄｅｌｉｎｋ通信は、協調感知メッセージ（ＣＡＭ，Ｃｏｏｐｅｒａｔｉｖｅ  Ａｗａｒｅｎｅｓｓ  Ｍｅｓｓａｇｅｓ）又は分散型環境通知メッセージ（ＤＥＮＭ，Ｄｅｃｅｎｔｒａｌｉｚｅｄ  Ｅｎｖｉｒｏｎｍｅｎｔａｌ  Ｎｏｔｉｆｉｃａｔｉｏｎ  Ｍｅｓｓａｇｅ）などの情報の交換、言語放送などの基本的なセキュリティ面のＶ２ｘアプリケーションしかをサポートすることができない。
【００３７】
一方、ＮＲ  Ｖ２ｘ  ｓｉｄｅｌｉｎｋ通信は、車両隊列走行管理（Ｖｅｈｉｃｌｅｓ  Ｐｌａｔｏｏｎｉｎｇ）、感知拡張（Ｅｘｔｅｎｄｅｄ  Ｓｅｎｓｏｒｓ）、先進運転（Ａｄｖａｎｃｅｄ  Ｄｒｉｖｉｎｇ）、リモート運転（ｒｅｍｏｔｅ  ｄｒｉｖｉｎｇ）などのＶ２ｘ業務をサポートする必要があるが、異なるＶ２ｘ業務は、通信速度、通信遅延、通信品質及び通信距離などに対する要求が異なるため、ＮＲ  Ｖ２ｘ  ｓｉｄｅｌｉｎｋ技術は、高速移動でのドップラー効果および高周波数でのキャリア周波数オフセットに対抗しながら、低い遅延を取得できるだけでなく、低速走行時の性能を保証して、より長い伝送距離を取得できるように求められる。しかしながら、関連技術において、ＬＴＥ  Ｖ２ｘ  ｓｉｄｅｌｉｎｋ通信は、固定のサブキャリア間隔及びサブフレームの長さを採用するため、ＮＲ  Ｖ２ｘ  ｓｉｄｅｌｉｎｋ通信業務の差別化ＱｏＳ要件を保証することができず、ユーザ体験が悪い。
【００３８】
上記課題を解決するために、本発明の実施例はパラメータセット取得方法を提供し、サイドリンク通信に基づくユーザ機器に適用され、当該方法は、同期信号、サイドリンク放送情報、物理層制御情報、又はユーザデータという情報タイプのうちの少なくとも１つ又はそれらの組み合わせを含む伝送対象の情報に対応する目標パラメータセットを取得するステップと、目標パラメータセットを使用して伝送対象の情報を伝送するステップとを含む。本発明の実施例にて提供されるパラメータセット取得方法は、ＮＲ  Ｖ２ｘサイドリンク通信において複数のパラメータセット構成をサポートして、異なるＶ２ｘサイドリンク通信のために差別化されたパラメータセットを提供することにより、ＮＲ  Ｖ２ｘ  ｓｉｄｅｌｉｎｋ通信業務の差別化ＱｏＳ要件を保証することができ、ユーザ体験を向上させる。
【００３９】
上記分析に基づいて、以下の各具体的な実施例を提供する。
【００４０】
図１は例示的な一実施例に示したパラメータセット取得方法のフローチャートである。当該方法は、サイドリンク通信のユーザ機器に適用でき、図１に示すように、当該方法は、以下のステップ１０１〜１０２を含む。
【００４１】
ステップ１０１において、同期信号、サイドリンク放送情報、物理層制御情報、又はユーザデータという情報タイプのうちの少なくとも１つ又はそれらの組み合わせを含む伝送対象の情報に対応する目標パラメータセットを取得する。
【００４２】
例示的に、当該方法の実行主体は、例えば、サイドリンク通信における車載機器、路側機器、又はユーザの携帯端末などのユーザ機器（ＵＥ）であり得る。
【００４３】
例示的に、パラメータセットは、サブキャリア間隔、及び対応する時間領域変調シンボルの長さ、サイクリックプレフィックス（ＣＰ、ｃｙｃｌｉｃ  Ｐｒｅｆｉｘ）の長さ、及び時間単位（ｓｌｏｔ）の長さなどの一連のパラメータの値を含み得る。伝送対象の情報に対応する目標パラメータセットは、伝送対象の情報の送信に使用される送信パラメータセット、及び／又は伝送対象の情報の受信に使用される受信パラメータセットであり得る。
【００４４】
例示的に、本開示は、ＮＲ  Ｖ２ｘサイドリンク通信において、複数のパラメータセット構成をサポートし、伝送対象の情報に対応する目標パラメータセットを取得することの実現方法は、少なくとも以下のいずれか１つの方法又はそれらの組み合わせを含み得る。
【００４５】
実現方法１、ユーザ機器によって、基地局又はサーバから、Ｖ２ｘサイドリンク通信時にユーザ機器に使用される様々なパラメータセット構成を先に取得し、例えば、方法ａ）、方法ｂ）がある。
【００４６】
方法ａ）ＮＲ  Ｖ２ｘサイドリンク通信について、ユーザ機器は、基地局から送信された構成メッセージを受信することにより、使用可能な送信パラメータセット及び／又は受信パラメータセットを半静的に取得することができ、例えば、基地局から送信された構成メッセージには、ユーザ機器が伝送対象の情報の伝送に使用する目標パラメータセットが含まれ、ユーザ機器は、構成メッセージを解析することにより、伝送対象の情報に対応する目標パラメータセットを取得する。
【００４７】
方法ｂ）ＮＲ  Ｖ２ｘサイドリンク通信について、ユーザ機器は、基地局から送信されたダウンリンク制御メッセージを受信することにより、伝送対象の情報の伝送に使用される目標パラメータセットを動的に取得することができ、例えば、基地局から送信されたダウンリンク制御メッセージには、ユーザ機器が伝送対象の情報の伝送に使用する目標パラメータセットが含まれ、ユーザ機器は、ダウンリンク制御メッセージを解析することで、伝送対象の情報に対応する目標パラメータセットを取得する。
【００４８】
例示的に、基地局から送信されたダウンリンク制御メッセージには、ユーザ機器が次回に物理層制御情報及び／又はユーザデータを伝送するためのパラメータセットが含まれており、ユーザ機器は、ダウンリンク制御メッセージを解析して、物理層制御情報及び／又はユーザデータを伝送するためのパラメータセットを取得する。なお、ユーザ機器が基地局から取得したパラメータセットと、予め構成したパラメータセットとが衝突する場合、ユーザ機器は、基地局から取得したパラメータセットを用いて、伝送対象の情報を伝送してもよい。
【００４９】
実現方法２、ユーザ機器に、Ｖ２ｘサイドリンク通信時にユーザ機器が使用する複数のパラメータセット構成を予め設定することができ、例えば、方法１）、方法２）、方法３）がある。
【００５０】
方法１）ユーザ機器が通信情報を送信／受信する際に使用する異なるキャリア周波数帯域について、異なるキャリア周波数帯域に異なるパラメータセットを予め設定して、キャリア周波数帯域とパラメータセットとの対応関係を確立することができる。ユーザ機器が、伝送対象の情報の伝送に使用される目標キャリア周波数帯域を取得し、プリセットのキャリア周波数帯域とパラメータセットとの対応関係に基づいて、目標キャリア周波数帯域に対応する目標パラメータセットを取得する。例えば、キャリア周波数がｆ１である場合、パラメータセットを｛３０ＫＨｚサブキャリア間隔、ＳＣ−ＦＤＭＡ変調、通常長さのサイクリックプレフィックス、時間単位の長さ０．５ｍｓ｝とし、キャリア周波数がｆ２である場合、パラメータセットを｛６０ＫＨｚサブキャリア間隔、ＯＦＤＭ変調、拡張サイクリックプレフィックス、時間単位の長さ０．２５ｍｓ｝とするように、ユーザ機器のために情報を予め設定する。
【００５１】
方法２）伝送対象の情報の異なる情報タイプについて、異なる情報タイプに異なるパラメータセットを予め設定して、情報タイプとパラメータセットとの対応関係を確立することができる。ユーザ機器は、プリセットの伝送対象の情報とパラメータセットとの対応関係に基づいて、伝送対象の情報に対応する目標パラメータセットを取得する。伝送対象の情報には、同期信号、サイドリンク放送情報、物理層制御情報、又はユーザデータという情報タイプのうちの少なくとも１つ又はそれらの組み合わせが含まれる。同期信号、サイドリンク放送情報、物理層制御情報、及びユーザデータについて、ユーザ機器のために異なる送受信パラメータセットをそれぞれ設定することができ、例えば、同期信号の伝送に使用されるパラメータセットを｛１５ＫＨｚサブキャリア間隔、ＳＣ−ＦＤＭＡ変調、通常長さのサイクリックプレフィックス、時間単位の長さは１ｍｓ｝と設定し、物理層制御情報の伝送に使用されるパラメータセットを｛３０ＫＨｚサブキャリア間隔、ＳＣ−ＦＤＭＡ変調、通常長さのサイクリックプレフィックス、時間単位の長さは０．５ｍｓ｝と設定し、ユーザデータの伝送に使用されるパラメータセットを｛６０ＫＨｚサブキャリア間隔、ＦＤＭ変調、通常長さのサイクリックプレフィックス、時間単位の長さは０．２５ｍｓ｝と設定する。
【００５２】
方法３）同じ情報タイプの伝送対象の情報について、異なる時間周波数リソース集合のために異なるパラメータセットを予め設定して、時間周波数リソース集合とパラメータセットとの対応関係を確立することができる。ユーザ機器は、伝送対象の情報の伝送に使用される時間周波数リソース集合を取得し、プリセットの時間周波数リソース集合とパラメータ集合との対応関係に基づいて、時間周波数リソース集合に対応する対象パラメータ集合を取得する。
【００５３】
実現方法３、ユーザ機器が、Ｖ２ｘサイドリンク通信時のユーザ機器が使用する様々なパラメータセット構成を対向機器から取得し、例えば、以下のとおりである。
【００５４】
ＮＲ  Ｖ２ｘサイドリンク通信について、ユーザ機器とＶ２ｘサイドリンク通信を行う対向機器から送信された同期信号／サイドリンク放送情報には、対向機器が物理層制御情報及び／又はユーザデータの伝送に使用するパラメータセットの情報が含まれてもよく、ユーザ機器は、対向機器から送信された同期信号／サイドリンク放送情報を受信することにより、対向機器から送信された同期信号又はサイドリンク放送情報に基づいて、対向機器が物理層制御情報及び／又はユーザデータの伝送に使用するパラメータセットを決定し、即ち、対向機器が物理層制御情報及び／又はユーザデータの伝送に使用するパラメータセットを把握し、対向機器が物理層制御情報及び／又はユーザデータの伝送に使用するパラメータセットを、ユーザ機器が伝送対象の情報の伝送に使用する目標パラメータセットとして決定し、目標パラメータセットを使用して伝送対象の情報を伝送し、伝送対象の情報は、例えば、物理層制御情報及び／又はユーザデータなどである。例えば、ユーザ機器は、目標パラメータセットを使用して、対向機器から送信された物理層制御情報及び／又はユーザデータを受信し、及び／又は、ユーザ機器は、目標パラメータセットを使用して、対向機器に物理層制御情報及び／又はユーザデータを送信し、また、例えば、ユーザ機器は、目標パラメータセットを使用して、対向機器以外の他の機器から送信された物理層制御情報及び／又はユーザデータを受信し、及び／又は、ユーザ機器は、目標パラメータセットを使用して、対向機器以外の他の機器に物理層制御情報及び／又はユーザデータを送信する。
【００５５】
例示的に、ユーザ機器は、対向機器から送信された同期信号又はサイドリンク放送情報に基づいて、対向機器が物理層制御情報及び／又はユーザデータの伝送に使用するパラメータセットを決定する具体的な実現方法は、方法Ａ〜方法Ｃのいずれかを含み得る。
【００５６】
方法Ａ、ユーザ機器は、対向機器が同期信号又はサイドリンク放送情報の送信時に使用したパラメータセットを検出し、対向機器は同期信号又はサイドリンク放送情報の送信時に使用したパラメータセットに基づいて、対向機器が物理層制御情報及び／又はユーザデータの伝送に使用するパラメータセットを決定する。
【００５７】
対向機器が同期信号及び／又はサイドリンク放送情報を送信するために使用するパラメータセットによって、対向機器が物理層制御情報及び／又はユーザデータを送信するために使用するパラメータセットが決定されるため、対向機器が同期信号又はサイドリンク放送情報の送信時に使用したパラメータセットに基づいて、対向機器が物理層制御情報及び／又はユーザデータの伝送に使用するパラメータセットを決定することができる。選択的に、対向機器が物理層制御情報及び／又はユーザデータの伝送に使用するパラメータセット情報を、ユーザ機器において予め設定しておいてもよい。
【００５８】
方法Ｂ、対向機器が異なる物理層制御情報及び／又はユーザデータを伝送するためのパラメータセットは、異なる同期信号シーケンスを使用してもよいし、異なる放送情報の参照信号シーケンスを使用してもよく、同期信号シーケンス又はサイドリンク放送情報の参照シーケンスとパラメータセットとの対応関係を予め確立することができる。ユーザ機器は、対向機器から送信された同期信号又はサイドリンク放送情報に基づいて、対向機器が使用される同期信号シーケンス又はサイドリンク放送情報の参照シーケンスを取得し、プリセットの同期信号シーケンス又はサイドリンク放送情報の参照シーケンスとパラメータセットとの対応関係に基づいて、対向機器が物理層制御情報及び／又はユーザデータの伝送に使用するパラメータセットを決定する。
【００５９】
方法Ｃ、対向機器から送信された同期信号又はサイドリンク放送情報には第１の指示情報が含まれ、第１の指示情報は、対向機器が物理層制御情報及び／又はユーザデータの伝送に使用するパラメータセットを指示するために用いられ、ユーザ機器は、対向機器から送信された同期信号又はサイドリンク放送情報を解析して、対向機器が物理層制御情報及び／又はユーザデータの伝送に使用するパラメータセットを取得する。
【００６０】
例えば、サイドリンク放送情報における特定ビットを用いて、異なる物理階層制御情報／ユーザデータに対応するパラメータセットを指示し、例えば、プロビジョニングにおいて、物理層制御情報／ユーザデータに使用可能な４つのパラメータセットを設定し、サイドリンク放送情報で２ビットを使用することは、具体的にどのパラメータセットが使用されるかを指示する。選択的に、プロビジョニングで設定した候補パラメータセットの数に応じて、サイドリンク放送情報における指示ビットの長さを決定する。
【００６１】
例えば、サイドリンク放送情報において、物理層制御情報／ユーザデータが使用可能な時間／周波数リソース集合、及び各時間／周波数集合に対応するパラメータセットを指示する。例えば、サイドリンク放送情報において、周波数リソース範囲ＲＢ０−２４はリソース集合１で、パラメータセット１に対応し、周波数リソース範囲２５−４９はリソース集合２で、パラメータ集合２に対応するように指定する。そうすると、リソース集合１における時間周波数リソースを使用した物理層制御情報／ユーザデータは、パラメータセット１を使用する必要があり、リソース集合２における時間周波数リソースを使用した物理層制御情報ユーザデータは、パラメータセット２を使用する必要がある。
【００６２】
実現方法４、ユーザ機器は、対向機器から送信された同期信号又はサイドリンク放送情報を受信し、ユーザ機器が対向機器から送信された同期信号を、ユーザ機器が信号を送信する同期参照信号として決定する場合、対向機器が同期信号又はサイドリンク放送情報を送信するために使用するパラメータセットを、ユーザ機器が同期信号又はサイドリンク放送情報を送信するために使用する目標パラメータセットとして決定する。例えば、ユーザ機器２がユーザ機器１及びユーザ機器４のそれぞれから送信された同期信号又はサイドリンク放送情報を同時に受信する場合、ユーザ機器２がユーザ機器１から送信された同期信号をユーザ機器２が信号を送信する同期参照信号として選択したと仮定すると、ユーザ機器２がユーザ機器１及びユーザ機器４以外のユーザ機器３に送信した同期信号又はサイドリンク放送情報に使用されるパラメータセットは、ユーザ機器１が送信した同期信号又はサイドリンク放送情報に使用されるパラメータセットと一致すべきである。
【００６３】
実現方法５、ユーザ機器は、対向機器から送信された、ユーザデータ及び／又はフィードバック情報の伝送時に使用されるパラメータセットを指示するための第２の指示情報を有する物理層制御情報を受信し、対向機器から送信された物理層制御情報を解析して、ユーザ機器がユーザデータ及び／又はフィードバック情報の伝送時に使用した目標パラメータセットを取得する。
【００６４】
例示的に、サイドリンク通信における物理層制御情報（ｓｉｄｅｌｉｎｋ  ｃｏｎｔｒｏｌ  ｉｎｆｏｒｍａｔｉｏｎ）は、ユーザ機器がユーザデータの伝送に使用する時間周波数リソース、変調符号化方法などのパラメータを指示するスケジューリング割り当て（ＳＡ，ｓｃｈｅｄｕｌｉｎｇ  ａｓｓｉｇｎｍｅｎｔ）制御情報を含むが、これらに限定されない。物理層制御情報は、ユーザデータ及び／又はフィードバック情報の伝送時に使用されるパラメータセットを暗黙的に指示することができ、例えば、異なる参照信号のシーケンスを選択することによって指示することができる。又は、物理層制御情報は、ユーザデータ及び／又はフィードバック情報の伝送時に使用されるパラメータセットを明示的に指示ことができ、例えば、物理層制御情報に２ビットが含まれ、値が“００”、“０１”、“１０”、“１１”である場合、ユーザデータの伝送に使用されるパラメータセットにおけるサブキャリア間隔は、それぞれ３０ＫＨｚ、６０ＫＨｚ、１２０ＫＨｚ、２４０ＫＨｚである。
【００６５】
選択的に、第２の指示情報は、対向機器がユーザデータの送信に使用するパラメータセットを指示するために用いられてもよいし、ユーザ機器がユーザデータの送信に使用するパラメータセットを指示するために用いられてもよいし、さらに、ユーザ機器が対向機器にフィードバック情報を送信するために使用するパラメータセットを指示するために用いられてもよい。
【００６６】
ステップ１０２では、目標パラメータセットを使用して、伝送対象の情報を伝送する。
【００６７】
例示的に、ユーザ機器は、伝送対象の情報に対応する目標パラメータセットを取得した後、目標パラメータセットを使用して伝送対象の情報を受信及び／又は送信する。
【００６８】
本発明の実施例にて提供される技術的解決手段を用いると、ＮＲ  Ｖ２ｘサイドリンク通信中で複数のパラメータセット構成をサポートし、伝送対象の情報に対応する目標パラメータセットを使用して伝送対象の情報を伝送して、異なるＶ２ｘサイドリンク通信のために差別化されたパラメータセットを提供することを実現し、ＮＲ  Ｖ２ｘ  ｓｉｄｅｌｉｎｋ通信業務の差別化ＱｏＳ要件を保証することができ、したがって、ユーザ体験を向上させることができる。
【００６９】
図２は、例示的な一実施例に示したパラメータセット取得方法のフローチャートであり、図２に示すように、図１に示す実施例に加え、本発明に係るパラメータセット取得方法は、ステップ２０１−２０４を含んでもよい。
【００７０】
ステップ２０１では、対向機器から送信された同期信号又はサイドリンク放送情報を受信する。
【００７１】
ステップ２０２では、対向機器から送信された同期信号又はサイドリンク放送情報に基づいて、対向機器が物理層制御情報及び／又はユーザデータの伝送に使用するパラメータセットを決定する。
【００７２】
ステップ２０３では、対向機器が物理層制御情報及び／又はユーザデータの伝送に使用するパラメータセットを、ユーザ機器が伝送対象の情報の伝送に使用する目標パラメータセットとして決定する。
【００７３】
ステップ２０４では、目標パラメータセットを使用して、伝送対象の情報を伝送する。
【００７４】
例示的に、伝送対象の情報は、同期信号、サイドリンク放送情報、物理層制御情報、又はユーザデータという情報タイプのうちの少なくとも１つ又はそれらの組み合わせを含む。
【００７５】
本発明の実施例にて提供される技術的解決手段を用いて、ユーザ機器が、Ｖ２ｘサイドリンク通信時にユーザ機器が伝送対象の情報の伝送に使用する目標パラメータセットを対向機器から取得し、異なるＶ２ｘサイドリンク通信のために差別化されたパラメータセットを提供することを実現し、ＮＲ  Ｖ２ｘ  ｓｉｄｅｌｉｎｋ通信業務の差別化ＱｏＳ要件を保証することができ、ユーザ体験を向上させる。
【００７６】
図３は、例示的な一実施例に示したパラメータセット取得方法のフローチャートであり、図３に示すように、図１に示す実施例に加え、本発明に係るパラメータセット取得方法は、ステップ３０１〜３０５を含んでもよい。
【００７７】
ステップ３０１では、対向機器から送信された同期信号又はサイドリンク放送情報を受信する。
【００７８】
ステップ３０２では、対向機器が同期信号又はサイドリンク放送情報の送信時に使用したパラメータセットを検出する。
【００７９】
ステップ３０３では、対向機器が同期信号又はサイドリンク放送情報の送信時に使用したパラメータセットに基づいて、対向機器が物理層制御情報及び／又はユーザデータの伝送に使用するパラメータセットを決定する
【００８０】
ステップ３０４では、対向機器が物理層制御情報及び／又はユーザデータの伝送に使用するパラメータセットを、ユーザ機器が伝送対象の情報の伝送に使用する目標パラメータセットとして決定する。
【００８１】
ステップ３０５では、目標パラメータセットを使用して、伝送対象の情報を伝送する。
【００８２】
本発明の実施例にて提供される技術的解決手段を用いると、対向機器が同期信号／又はサイドリンク放送情報の送信に使用するパラメータセットによって、対向機器が物理層制御情報及び／又はユーザデータの送信に使用するパラメータセットが決定されるため、ユーザ機器は、対向機器が同期信号又はサイドリンク放送情報の送信時に使用したパラメータセットに基づいて、対向機器が物理層制御情報及び／又はユーザデータの伝送に使用するパラメータセットを決定することができ、さらに、ユーザ機器が伝送対象の情報の伝送に使用する目標パラメータセットを決定することができ、それにより異なるＶ２ｘサイドリンク通信のために差別化されたパラメータセットを提供することを実現し、ＮＲ  Ｖ２ｘ  ｓｉｄｅｌｉｎｋ通信業務の差別化ＱｏＳ要件を保証することができる。
【００８３】
図４は、例示的な一実施例に示したパラメータセット取得方法のフローチャートであり、図４に示すように、図１に示す実施例に加え、本発明に係るパラメータセット取得方法は、ステップ４０１〜４０５を含んでもよい。
【００８４】
ステップ４０１では、対向機器から送信された同期信号又はサイドリンク放送情報を受信する。
【００８５】
ステップ４０２では、対向機器から送信された同期信号又はサイドリンク放送情報に基づいて、対向機器に使用された同期信号シーケンス又はサイドリンク放送情報の参照シーケンスを取得する。
【００８６】
ステップ４０３では、プリセットの同期信号シーケンス又はサイドリンク放送情報の参照シーケンスとパラメータセットとの対応関係に基づいて、対向機器が物理層制御情報及び／又はユーザデータの伝送に使用するパラメータセットを決定する。
【００８７】
ステップ４０４では、対向機器が物理層制御情報及び／又はユーザデータの伝送に使用するパラメータセットを、ユーザ機器が伝送対象の情報の伝送に使用する目標パラメータセットとして決定する。
【００８８】
ステップ４０５では、目標パラメータセットを使用して、伝送対象の情報を伝送する。
【００８９】
本発明の実施例にて提供される技術的解決手段を用いると、ＮＲ  Ｖ２ｘ  ｓｉｄｅｌｉｎｋ通信について、対向機器が異なる物理層制御情報及び／又はユーザデータを伝送するためのパラメータセットは、異なる同期信号シーケンスを使用してもよいし、異なる放送情報の参照信号シーケンスを使用してもよく、同期信号シーケンス又はサイドリンク放送情報の参照シーケンスとパラメータセットとの対応関係を予め確立することにより、ユーザ機器がプリセットの同期信号シーケンス又はサイドリンク放送情報の参照シーケンスとパラメータセットとの対応関係に基づいて、対向機器が物理層制御情報及び／又はユーザデータの伝送に使用するパラメータセットを決定することができるようになり、さらに、ユーザ機器が伝送対象の情報の伝送に使用する目標パラメータセットを決定することができ、それにより異なるＶ２ｘサイドリンク通信のために差別化されたパラメータセットを提供することを実現し、ＮＲ  Ｖ２ｘ  ｓｉｄｅｌｉｎｋ通信業務の差別化ＱｏＳ要件を保証することができる。
【００９０】
以下、本発明の装置の実施例であり、本発明の方法の実施例を実行するために使用されることができる。
【００９１】
図５は、例示的な一実施例に示したパラメータセット取得装置のブロック図であり、当該装置は、ソフトウェア、ハードウェア、又はそれらの組み合わせにより、ユーザ機器の一部又は全部として実現されることができる。図５を参照すると、当該パラメータセット取得装置は、取得モジュール５０１と、伝送モジュール５０２とを含み、
取得モジュール５０１は、同期信号、サイドリンク放送情報、物理層制御情報、又はユーザデータという情報タイプのうちの少なくとも１つ又はそれらの組み合わせを含む伝送対象の情報に対応する目標パラメータセットを取得するように構成され、
伝送モジュール５０２は、目標パラメータセットを使用して伝送対象の情報を伝送するように構成される。
【００９２】
本発明の実施例にて提供される装置を用いると、ＮＲ  Ｖ２ｘサイドリンク通信中で複数のパラメータセット構成をサポートし、伝送対象の情報に対応する目標パラメータセットを使用して伝送対象の情報を伝送して、異なるＶ２ｘサイドリンク通信のために差別化されたパラメータセットを提供することを実現し、ＮＲ  Ｖ２ｘ  ｓｉｄｅｌｉｎｋ通信業務の差別化ＱｏＳ要件を保証することにより、ユーザ体験を向上させることができる。
【００９３】
一実施例では、図６に示すように、図５に示すパラメータセット取得装置は、第１の受信サブモジュール６０１と第１の解析サブモジュール６０２とを含むように構成される取得モジュール５０１をさらに含んでもよく、
第１の受信サブモジュール６０１は、基地局から送信された、ユーザ機器が伝送対象の情報の伝送に使用する目標パラメータセットを含む構成メッセージを受信するように構成され、
第１の解析サブモジュール６０２は、構成メッセージを解析して、伝送対象の情報に対応する目標パラメータセットを取得するように構成される。
【００９４】
一実施例では、図７に示すように、図５に示すパラメータセット取得装置は、第２の受信サブモジュール７０１と第２の解析サブモジュール７０２とを含むように構成される取得モジュール５０１をさらに含んでもよく、
第２の受信サブモジュール７０１は、基地局から送信された、ユーザ機器が伝送対象の情報の伝送に使用する目標パラメータセットを含むダウンリンク制御メッセージを受信するように構成され、
第２の解析サブモジュール７０２は、ダウンリンク制御メッセージを解析して、伝送対象の情報に対応する目標パラメータセットを取得するように構成される。
【００９５】
一実施例では、図８に示すように、図５に示すパラメータセット取得装置は、第１の取得サブモジュール８０１と第２の取得サブモジュール８０２とを含むように構成される取得モジュール５０１をさらに含んでもよく、
第１の取得サブモジュール８０１は、伝送対象の情報の伝送に使用される目標キャリア周波数帯域を取得するように構成され、
第２の取得サブモジュール８０２は、プリセットのキャリア周波数帯域とパラメータセットとの対応関係に基づいて、目標キャリア周波数帯域に対応する目標パラメータセットを取得するように構成される。
【００９６】
一実施例では、取得モジュール５０１は、プリセットの情報タイプとパラメータセットとの対応関係に基づいて、伝送対象の情報に対応する目標パラメータセットを取得する。
【００９７】
一実施例では、取得モジュール５０１は、伝送対象の情報の伝送に使用される時間周波数リソース集合を取得し、プリセットの時間周波数リソース集合とパラメータセットとの対応関係に基づいて、時間周波数リソース集合に対応する目標パラメータセットを取得する。
【００９８】
一実施例では、図９に示すように、図５に示すパラメータセット取得装置は、第３の受信サブモジュール９０１と、第１の決定サブモジュール９０２と、第２の決定サブモジュール９０３とを含むように構成される取得モジュール５０１をさらに含んでもよく、
第３の受信サブモジュール９０１は、対向機器から送信された同期信号又はサイドリンク放送情報を受信するように構成され、
第１の決定サブモジュール９０２は、対向機器から送信された同期信号又はサイドリンク放送情報に基づいて、対向機器が物理層制御情報及び／又はユーザデータの伝送に使用するパラメータセットを決定するように構成され、
第２の決定サブモジュール９０３は、対向機器が物理層制御情報及び／又はユーザデータの伝送に使用するパラメータセットを、ユーザ機器が伝送対象の情報の伝送に使用する目標パラメータセットとして決定するように構成される。
【００９９】
一実施例では、第１の決定サブモジュール９０２は、対向機器が同期信号又はサイドリンク放送情報の伝送時に使用したパラメータセットを検出し、対向機器が同期信号又はサイドリンク放送情報の送信時に使用したパラメータセットに基づいて、対向機器が物理層制御情報及び／又はユーザデータの伝送に使用するパラメータセットを決定する。
【０１００】
一実施例では、第１の決定サブモジュール９０２は、対向機器から送信された同期信号又はサイドリンク放送情報に基づいて、対向機器が使用される同期信号シーケンス又はサイドリンク放送情報の参照シーケンスを取得し、プリセットの同期信号シーケンス又はサイドリンク放送情報の参照シーケンスとパラメータセットとの対応関係に基づいて、対向機器が物理層制御情報及び／又はユーザデータの伝送に使用するパラメータセットを決定する。
【０１０１】
一実施例では、第１の決定サブモジュール９０２は、対向機器から送信された同期信号又はサイドリンク放送情報に第１の指示情報が含まれ、第１の指示情報は、対向機器が物理層制御情報及び／又はユーザデータの伝送に使用するパラメータセットを指示するために用いられ、対向機器から送信された同期信号又はサイドリンク放送情報を解析して、対向機器が物理層制御情報及び／又はユーザデータの伝送に使用するパラメータセットを取得する。
【０１０２】
一実施例では、図１０に示すように、図５に示すパラメータセット取得装置は、第４の受信サブモジュール１００１と、第３の決定サブモジュール１００２とを含むように構成される取得モジュール５０１をさらに含んでもよく、
第４の受信サブモジュール１００１は、対向機器から送信された同期信号又はサイドリンク放送情報を受信するように構成され、
第３の決定サブモジュール１００２は、対向機器から送信された同期信号を、ユーザ機器から送信された信号の同期参照信号として決定する場合、対向機器が同期信号又はサイドリンク放送情報の送信に使用するパラメータセットを、ユーザ機器が同期信号又はサイドリンク放送情報の送信に使用する目標パラメータセットとして決定するように構成される。
【０１０３】
一実施例では、取得モジュール５０１は、対向機器から送信された、ユーザデータ及び／又はフィードバック情報の伝送時に使用されるパラメータセットを指示するための第２の指示情報を有する物理層制御情報を受信し、対向機器から送信された物理層制御情報を解析して、ユーザ機器がユーザデータ及び／又はフィードバック情報の伝送時に使用した目標パラメータセットを取得する。
【０１０４】
例示的な一実施例にて提供されるパラメータセット取得装置は、
プロセッサと、
プロセッサによって実行可能な命令を記憶するためのメモリと、を含み、
プロセッサは、
同期信号、サイドリンク放送情報、物理層制御情報、又はユーザデータという情報タイプのうちの少なくとも１つ又はそれらの組み合わせを含む伝送対象の情報に対応する目標パラメータセットを取得し、
目標パラメータセットを使用して伝送対象の情報を伝送するように構成される。
【０１０５】
上記プロセッサは、さらに、
基地局から送信された、ユーザ機器が伝送対象の情報の伝送に使用する目標パラメータセットを含む構成メッセージを受信し、
構成メッセージを解析して、伝送対象の情報に対応する目標パラメータセットを取得するように構成されてもよい。
【０１０６】
上記プロセッサは、さらに、
基地局から送信された、ユーザ機器が伝送対象の情報の伝送に使用する目標パラメータセットを含むダウンリンク制御メッセージを受信し、
ダウンリンク制御メッセージを解析して、伝送対象の情報に対応する目標パラメータセットを取得するように構成されてもよい。
【０１０７】
上記プロセッサは、さらに、
伝送対象の情報の伝送に使用される目標キャリア周波数帯域を取得し、
プリセットのキャリア周波数帯域とパラメータセットとの対応関係に基づいて、目標キャリア周波数帯域に対応する目標パラメータセットを取得するように構成されてもよい。
【０１０８】
上記プロセッサは、さらに、プリセットの情報タイプとパラメータセットとの対応関係に基づいて、伝送対象の情報に対応する目標パラメータセットを取得するように構成されてもよい。
【０１０９】
上記プロセッサは、さらに、
伝送対象の情報の伝送に使用される時間周波数リソース集合を取得し、
プリセットの時間周波数リソース集合とパラメータセットとの対応関係に基づいて、時間周波数リソース集合に対応する目標パラメータセットを取得するように構成されてもよい。
【０１１０】
上記プロセッサは、さらに、
対向機器から送信された同期信号又はサイドリンク放送情報を受信し、
対向機器から送信された同期信号又はサイドリンク放送情報に基づいて、対向機器が物理層制御情報及び／又はユーザデータの伝送に使用するパラメータセットを決定し、
対向機器が物理層制御情報及び／又はユーザデータの伝送に使用するパラメータセットを、ユーザ機器が伝送対象の情報の伝送に使用する目標パラメータセットとして決定するように構成されてもよい。
【０１１１】
上記プロセッサは、さらに、
対向機器が同期信号又はサイドリンク放送情報の伝送時に使用したパラメータセットを検出し、
対向機器が同期信号又はサイドリンク放送情報の送信時に使用したパラメータセットに基づいて、対向機器が物理層制御情報及び／又はユーザデータの伝送に使用するパラメータセットを決定するように構成されてもよい。
【０１１２】
上記プロセッサは、さらに、
対向機器から送信された同期信号又はサイドリンク放送情報に基づいて、対向機器が使用される同期信号シーケンス又はサイドリンク放送情報の参照シーケンスを取得し、
プリセットの同期信号シーケンス又はサイドリンク放送情報の参照シーケンスとパラメータセットとの対応関係に基づいて、対向機器が物理層制御情報及び／又はユーザデータの伝送に使用するパラメータセットを決定するように構成されてもよい。
【０１１３】
上記プロセッサは、さらに、
対向機器から送信された同期信号又はサイドリンク放送情報に第１の指示情報が含まれ、第１の指示情報は、対向機器が物理層制御情報及び／又はユーザデータの伝送に使用するパラメータセットを指示するために用いられ、
対向機器から送信された同期信号又はサイドリンク放送情報を解析して、対向機器が物理層制御情報及び／又はユーザデータの伝送に使用するパラメータセットを取得するように構成されてもよい。
【０１１４】
上記プロセッサは、さらに、
対向機器から送信された同期信号又はサイドリンク放送情報を受信し、
対向機器から送信された同期信号を、ユーザ機器から送信された信号の同期参照信号として決定する場合、対向機器が同期信号又はサイドリンク放送情報の送信に使用するパラメータセットを、ユーザ機器が同期信号又はサイドリンク放送情報の送信に使用する目標パラメータセットとして決定するように構成される。
【０１１５】
上記プロセッサは、さらに、
対向機器から送信された、ユーザデータ及び／又はフィードバック情報の伝送時に使用されるパラメータセットを指示するための第２の指示情報を有する物理層制御情報を受信し、
対向機器から送信された物理層制御情報を解析して、ユーザ機器がユーザデータ及び／又はフィードバック情報の伝送時に使用した目標パラメータセットを取得するように構成される。
【０１１６】
上記実施例の装置について、各モジュールが動作を実行する具体的な方法は、当該方法に関する実施例において詳細に説明されており、ここでは詳細な説明を省略する。
【０１１７】
図１１は、例示的な一実施例に示したパラメータセット取得装置のブロック図であり、パラメータセット取得装置１１００は、サイドリンク通信に基づくユーザ機器に適用され、パラメータセット取得装置１１００は、処理コンポーネント１１０２、メモリ１１０４、電源コンポーネント１１０６、マルチメディアコンポーネント１１０８、オーディオコンポーネント１１１０、入出力（Ｉ／Ｏ）インタフェース１１１２、センサコンポーネント１１１４、及び通信コンポーネント１１１６のうちの１つ又は複数を含み得る。
【０１１８】
処理コンポーネント１１０２は、一般的には、表示、通話、データ通信、カメラ操作、及び記録操作に関連する動作など、パラメータセット取得装置１１００の全体的な動作を制御する。処理コンポーネント１１０２は、上記方法のステップの全部又は一部を実行するための命令を実行する１つ又は複数のプロセッサ１１２０を含んでもよい。さらに、処理コンポーネント１１０２は、処理コンポーネント１１０２と他のコンポーネントとの間の相互作用を容易にする１つ又は複数のモジュールを含んでもよい。例えば、処理コンポーネント１１０２は、マルチメディアコンポーネント１１０８と処理コンポーネント１１０２との間の相互作用を容易にするためにマルチメディアモジュールを含んでもよい。
【０１１９】
メモリ１１０４は、パラメータセット取得装置１１００の動作をサポートするために、多様なタイプのデータを記憶するように構成される。これらのデータの例示は、パラメータセット取得装置１１００上で操作される任意のアプリケーション・プログラム又は方法に用いられる命令、連絡先データ、電話帳データ、メッセージ、写真、ビデオなどを含む。メモリ１１０４は、スタティックランダムアクセスメモリ（ＳＲＡＭ）、電気的消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク、又は光ディスクなどの任意のタイプの揮発性又は不揮発性の記憶装置、又はそれらの組み合わせで実現される。
【０１２０】
電源コンポーネント１１０６は、パラメータセット取得装置１１００の様々なコンポーネントに電力を供給する。電源コンポーネント１１０６は、電源管理システム、１つ又は複数の電源、及びパラメータセット取得装置１１００のために電力を生成、管理、及び分配することに関連する他のコンポーネントを含み得る。
【０１２１】
マルチメディアコンポーネント１１０８は、パラメータセット取得装置１１００とユーザとの間にある、出力インタフェースを提供するスクリーンを含む。一部の実施例では、スクリーンは、液晶ディスプレイ（ＬＣＤ）及びタッチパネル（ＴＰ）を含み得る。スクリーンがタッチパネルを含む場合、スクリーンは、ユーザから入力信号を受信するためのタッチスクリーンとして実現される。タッチパネルは、タッチ、スライド、及びタッチパネル上でのジェスチャを感知するための１つ又は複数のタッチセンサを含む。タッチセンサは、タッチ又はスライド動作の境界を感知するだけでなく、タッチ又はスライド動作に関連する持続時間及び圧力を検出することもできる。一部の実施例では、マルチメディアコンポーネント１１０８は、１つのフロントカメラ及び／又はリアカメラを含む。パラメータセット取得装置１１００が撮影モードやビデオモードのような動作モードである場合、フロントカメラ及び／又はリアカメラは、外部のマルチメディアデータを受信することができる。前方及びリアカメラの各々は、固定された光学レンズシステムであってもよいし、焦点距離及び光学ズーム機能を有するものであってもよい。
【０１２２】
オーディオコンポーネント１１１０は、オーディオ信号を出力及び／又は入力するように構成される。例えば、オーディオコンポーネント１１１０は、マイクロフォン（ＭＩＣ）を含み、パラメータセット取得装置１１００が通話モード、録音モード、及び音声認識モードなどのような動作モードにある場合、このマイクロフォンは、外部オーディオ信号を受信するように構成される。受信されたオーディオ信号は、メモリ１１０４にさらに記憶されてもよいし、通信コンポーネント１１１６を介して送信されてもよい。一部の実施例では、オーディオコンポーネント１１１０は、オーディオ信号を出力するためのスピーカーをさらに含む。
【０１２３】
Ｉ／Ｏインタフェース１１１２は、処理コンポーネント１１０２と周辺インタフェースモジュールとの間のインタフェースを提供する。上記周辺インタフェースモジュールは、キーボード、クリックホイール、ボタンなどであり得る。これらのボタンは、ホームボタン、音量ボタン、スタートボタン、及びロックボタンを含み得るが、これらに限定されない。
【０１２４】
センサコンポーネント１１１４は、様々な側面に関する状態評価をパラメータセット取得装置１１００に提供するための１つ又は複数のセンサを含む。例えば、センサコンポーネント１１１４は、パラメータセット取得装置１１００のオン／オフ状態、パラメータセット取得装置１１００のディスプレイ及びキーパッドなどのコンポーネントの相対的な位置を検出することができ、センサコンポーネント１１１４は、さらに、パラメータセット取得装置１１００又はパラメータセット取得装置１１００の１つのコンポーネントの位置変化、ユーザとパラメータセット取得装置１１００との接触の有無、パラメータセット取得装置１１００の方位、加速／減速、及びパラメータセット取得装置１１００の温度変化を検出することができる。センサコンポーネント１１１４は、物理的接触がない場合に近くの物体の存在を検出するように構成される近接センサを含んでもよい。センサコンポーネント１１１４は、さらに、撮像用途で使用するためのＣＭＯＳ又はＣＣＤイメージセンサなどの光センサを含んでもよい。一部の実施例では、当該センサコンポーネント１１１４は、加速度センサ、ジャイロセンサ、磁気センサ、圧力センサ、又は温度センサを含んでもよい。
【０１２５】
通信コンポーネント１１１６は、パラメータセット取得装置１１００と他の機器との間の有線又は無線通信を容易にするように構成される。パラメータセット取得装置１１００は、ＷｉＦｉ、２Ｇ、３Ｇ、又はこれらの組み合わせなどの通信規格に基づく無線ネットワークにアクセスすることができる。例示的な一実施例では、通信コンポーネント１１１６は、放送チャネルを介して外部の放送管理システムからの放送信号又は放送関連情報を受信する。例示的な一実施例では、通信コンポーネント１１１６は、近距離通信を容易にするためのニアフィールドコミュニケーション（ＮＦＣ）モジュールをさらに含む。例えば、ＮＦＣモジュールは、無線周波数識別（ＲＦＩＤ）技術、赤外線データアソシエーション（ＩｒＤＡ）技術、超広帯域（ＵＷＢ）技術、ブルートゥース（登録商標）（ＢＴ）技術及びその他の技術を基に実現できる。
【０１２６】
例示的な一実施例では、パラメータセット取得装置１１００は、上記方法を実行するために、１つ又は複数のアプリケーション特定用途向け集積回路（ＡＳＩＣ）、デジタル信号プロセッサ（ＤＳＰ）、デジタル信号処理機器（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ、又はその他の電子コンポーネントにより実施できる。
【０１２７】
例示的な一実施例では、命令を含む非一時的コンピュータ読み取り可能な記憶媒体を提供し、例えば、命令を含むメモリ１１０４であり、上記命令は、上記方法を実行するようにパラメータセット取得装置１１００のプロセッサ１１２０により実行できる。例えば、非一時的コンピュータ読み取り可能な記憶媒体は、ＲＯＭ、ランダムアクセスメモリ（ＲＡＭ）、ＣＤ−ＲＯＭ、磁気テープ、フロッピーディスク、光データ記憶機器などであり得る。
【０１２８】
図１２は、例示的な一実施例に示したパラメータセット取得装置のブロック図である。例えば、パラメータセット取得装置１２００は、サーバとして提供される。パラメータセット取得装置１２００は、処理コンポーネント１２０２を含み、さらに、１つ又は複数のプロセッサと、処理コンポーネント１２０２によって実行されるアプリケーションなどの命令を記憶するためのメモリ１２０３によって表されるメモリリソースとを含む。メモリ１２０３に記憶されたアプリケーション・プログラムは、１組の命令にそれぞれ対応する１つ以上のモジュールを含み得る。さらに、処理コンポーネント１２０２は、上記方法を実行するための命令を実行するように構成される。
【０１２９】
パラメータセット取得装置１２００は、さらに、パラメータセット取得装置１２００の電源管理を実行するように構成された電源コンポーネント１２０６と、パラメータセット取得装置１２００をネットワークに接続するように構成された有線又は無線ネットワークインタフェース１２０５と、入出力（Ｉ／Ｏ）インタフェース１２０８とを含んでもよい。パラメータセット取得装置１２００は、Ｗｉｎｄｏｗｓ  ＳｅｒｖｅｒＴＭ、Ｍａｃ  ＯＳ  ＸＴＭ、ＵｎｉｘＴＭ、Ｌｉｎｕｘ（登録商標）ＴＭ、ＦｒｅｅＢＳＤＴＭなどのメモリ１２０３に記憶されたオペレーティングシステムに基づいて動作することができる。
【０１３０】
非一時的コンピュータ読み取り可能な記憶媒体であって、記憶媒体における命令がパラメータセット取得装置１１００又はパラメータセット取得装置１２００のプロセッサによって実行されると、パラメータセット取得装置１１００又はパラメータセット取得装置１２００に以下のパラメータセット取得方法を実行させ、当該方法は、サイドリンク通信に基づくユーザ機器に適用されるべきであり、当該方法は、
同期信号、サイドリンク放送情報、物理層制御情報、又はユーザデータという情報タイプのうちの少なくとも１つ又はそれらの組み合わせを含む伝送対象の情報に対応する目標パラメータセットを取得するステップと、
目標パラメータセットを使用して伝送対象の情報を伝送するステップと、を含む。
【０１３１】
一実施例では、伝送対象の情報に対応する目標パラメータセットを取得するステップは、
基地局から送信された、ユーザ機器が伝送対象の情報の伝送に使用する目標パラメータセットを含む構成メッセージを受信するステップと、
構成メッセージを解析して、伝送対象の情報に対応する目標パラメータセットを取得するステップと、を含む。
【０１３２】
一実施例では、伝送対象の情報に対応する目標パラメータセットを取得するステップは、
基地局から送信された、ユーザ機器が伝送対象の情報の伝送に使用する目標パラメータセットを含むダウンリンク制御メッセージを受信するステップと、
ダウンリンク制御メッセージを解析して、伝送対象の情報に対応する目標パラメータセットを取得するステップと、を含む。
【０１３３】
一実施例では、伝送対象の情報に対応する目標パラメータセットを取得するステップは、
伝送対象の情報の伝送に使用される目標キャリア周波数帯域を取得するステップと、
プリセットのキャリア周波数帯域とパラメータセットとの対応関係に基づいて、目標キャリア周波数帯域に対応する目標パラメータセットを取得するステップとを含む。
【０１３４】
一実施例では、伝送対象の情報に対応する目標パラメータセットを取得するステップは、
プリセットの情報タイプとパラメータセットとの対応関係に基づいて、伝送対象の情報に対応する目標パラメータセットを取得するステップを含む。
【０１３５】
一実施例では、伝送対象の情報に対応する目標パラメータセットを取得するステップは、
伝送対象の情報の伝送に使用される時間周波数リソース集合を取得するステップと、
プリセットの時間周波数リソース集合とパラメータセットとの対応関係に基づいて、時間周波数リソース集合に対応する目標パラメータセットを取得するステップと、を含む。
【０１３６】
一実施例では、伝送対象の情報に対応する目標パラメータセットを取得するステップは、
対向機器から送信された同期信号又はサイドリンク放送情報を受信するステップと、
対向機器から送信された同期信号又はサイドリンク放送情報に基づいて、対向機器が物理層制御情報及び／又はユーザデータの伝送に使用するパラメータセットを決定するステップと、
対向機器が物理層制御情報及び／又はユーザデータの伝送に使用するパラメータセットを、ユーザ機器が伝送対象の情報の伝送に使用する目標パラメータセットとして決定するステップとを含む。
【０１３７】
一実施例では、対向機器から送信された同期信号又はサイドリンク放送情報に基づいて、対向機器が物理層制御情報及び／又はユーザデータの伝送に使用するパラメータセットを決定するステップは、
対向機器が同期信号又はサイドリンク放送情報の伝送時に使用したパラメータセットを検出するステップと、
対向機器が同期信号又はサイドリンク放送情報の送信時に使用したパラメータセットに基づいて、対向機器が物理層制御情報及び／又はユーザデータの伝送に使用するパラメータセットを決定するステップと、を含む。
【０１３８】
一実施例では、対向機器から送信された同期信号又はサイドリンク放送情報に基づいて、対向機器が物理層制御情報及び／又はユーザデータの伝送に使用するパラメータセットを決定するステップは、
対向機器から送信された同期信号又はサイドリンク放送情報に基づいて、対向機器に使用された同期信号シーケンス又はサイドリンク放送情報の参照シーケンスを取得するステップと、
プリセットの同期信号シーケンス又はサイドリンク放送情報の参照シーケンスとパラメータセットとの対応関係に基づいて、対向機器が物理層制御情報及び／又はユーザデータの伝送に使用するパラメータセットを決定するステップと、を含む。
【０１３９】
一実施例では、対向機器から送信された同期信号又はサイドリンク放送情報に基づいて、対向機器が物理層制御情報及び／又はユーザデータの伝送に使用するパラメータセットを決定するステップは、
対向機器から送信された同期信号又はサイドリンク放送情報に第１の指示情報が含まれ、第１の指示情報は、対向機器が物理層制御情報及び／又はユーザデータの伝送に使用するパラメータセットを指示するために用いられるステップと、
対向機器から送信された同期信号又はサイドリンク放送情報を解析して、対向機器が物理層制御情報及び／又はユーザデータの伝送に使用するパラメータセットを取得するステップと、を含む。
【０１４０】
一実施例では、伝送対象の情報に対応する目標パラメータセットを取得するステップは、
対向機器から送信された同期信号又はサイドリンク放送情報を受信するステップと、
対向機器から送信された同期信号を、ユーザ機器から送信された信号の同期参照信号として決定する場合、対向機器が同期信号又はサイドリンク放送情報の送信に使用するパラメータセットを、ユーザ機器が同期信号又はサイドリンク放送情報の送信に使用する目標パラメータセットとして決定するステップとを含む。
【０１４１】
一実施例では、伝送対象の情報に対応する目標パラメータセットを取得するステップは、
対向機器から送信された、ユーザデータ及び／又はフィードバック情報の伝送時に使用されるパラメータセットを指示するための第２の指示情報を有する物理層制御情報を受信するステップと、
対向機器から送信された物理層制御情報を解析して、ユーザ機器がユーザデータ及び／又はフィードバック情報の伝送時に使用した目標パラメータセットを取得するステップと、を含む。
【０１４２】
当業者は、本明細書を考慮し、本明細書の開示を実施した後、本発明の他の実施形態を容易に想到し得る。本出願は、本発明の任意の変形、用途、又は適応変化をカバーすることを意図し、これらの変形、使用、又は適応変化は、本発明の一般原則に従い、本発明に開示されていない本技術分野における常識又は従来の技術的手段を含む。明細書及び実施例は、例示的なものとして見なされるべきであり、本発明の真の範囲及び精神は、以下の特許請求の範囲によって指摘される。
【０１４３】
なお、本発明は、上記に説明し、図面に示した正確な構造に限定されず、その範囲から逸脱せず、様々な修正及び変更ができることを理解されたい。本発明の範囲は、添付の特許請求の範囲のみによって制限される。
【図１】
2021532689.tif 000003
【図２】
2021532689.tif 000004
【図３】
2021532689.tif 000005
【図４】
2021532689.tif 000006
【図５】
2021532689.tif 000007
【図６】
2021532689.tif 000008
【図７】
2021532689.tif 000009
【図８】
2021532689.tif 000010
【図９】
2021532689.tif 000011
【図１０】
2021532689.tif 000012
【図１１】
2021532689.tif 000013
【図１２】
2021532689.tif 000014
【国際調査報告】
2021532689.tif 000015
2021532689.tif 000016
2021532689.tif 000017
2021532689.tif 000018
2021532689.tif 000019
2021532689.tif 000020